(57)【特許請求の範囲】
【請求項１】
レンズ鏡胴の前端部に装着され、開口部を有するリング状台板と、
少なくとも前記開口部に相対する部分に開口部を有し、台板に対して回動自在の駆動板と、
前記台板と前記駆動板との間にあって、前記台板の開口部を開閉すべく、台板に配置された第１取付部に回転自在に枢着されたバリア羽根とで構成され、
駆動板が光軸回りに回転駆動されることによりバリア羽根が台板の開口部を開閉するようにしたカメラ用レンズバリアユニットであって、
第１取付部とは別体の第２取付部が台板の所定位置に形成され、該第２取付部に捩りコイルスプリングのコイル部が光軸方向と平行な軸回りに回動自在に枢着され、該捩りコイルスプリングの第１アーム部が駆動板に連結される一方、その第２アーム部がバリア羽根に連結されることにより、駆動板の回転駆動力が各捩りコイルスプリングを介して各バリア羽根に伝達されるとともに、捩りコイルスプリングの捩り角度がほとんど変化しない領域がバリア羽根の開状態と閉状態との間に設けられていることを特徴とするカメラ用レンズバリアユニット。
【請求項２】
前記第１取付部及び第２取付部は、光軸方向に延在するボスであることを特徴とする請求項１記載のカメラ用レンズバリアユニット。
【請求項３】
前記第１取付部と第２取付部とは互いに近傍に位置することを特徴とする請求項１記載のカメラ用レンズバリアユニット。
【請求項４】
前記捩りコイルスプリングは、安全機構としてのバネ力を有することを特徴とする請求項１記載のカメラ用レンズバリアユニット。
【請求項５】
前記バリア羽根、前記第１取付部及び前記第２取付部がそれぞれ２つずつあって、それらが協働して前記開口部を開閉することを特徴とする請求項１〜４記載のカメラ用レンズバリアユニット。
【発明の詳細な説明】
【０００１】
【発明の属する技術分野】
本発明は、カメラに関し、詳しくは、撮影レンズを保護するためにその前面側に開閉可能に装着されるカメラ用レンズバリアユニットに関し、特に、小型且つ薄型であるにもかかわらず大きく開口することができるレンズバリアユニットに関する。
【０００２】
【従来の技術】
レンズバリアユニットには、その駆動源としてレンズ鏡胴のカム環の回転力を利用するタイプのものがある。この場合、レンズバリアユニットは、直進筒に固定されるリング状台板と、台板に対して回動自在のリング状駆動板と、台板と駆動板との間にあって、台板に開閉自在に装着されたバリア羽根とが重畳的に配設された構造をしており、バリア羽根の回動によりレンズバリアユニットの開口部が開閉される。
【０００３】
上記構成において、台板は、大略リング形状のリング体であり、中央部には開口部が形成されている。リング体には、バリア羽根を開閉可能に枢着するための第１取付部が形成されている。駆動板は、台板と同様に、大略リング形状のリング体であり、カム環と係合してカム環の回転力が伝達されるように構成されている。
【０００４】
このような構成において、カム環が回転して駆動板を光軸回りに回転させると、駆動板の回転駆動力は、各バリア羽根に伝達されて、バリア羽根を開閉させる。バリア羽根は駆動板に対して係合されている。すなわち、バリア羽根は駆動板に対してバネ部材のバネ力で押し当てられている。バネ部材を用いているのは、バリア羽根の間で異物を噛んだときに、バネ材が安全装置として働いて、駆動板の回転駆動力を吸収するためである。
【０００５】
上記構成のレンズバリアユニットでは、駆動板にバリア羽根を押し当てるバネ部材として、引張コイルスプリングが用いられている。引張コイルスプリングは、長手方向に一定の長さを有しており、且つ伸縮運動するために光軸に直交する平面での収納スペースをかなり必要とする。一方、バリア羽根は光軸と直交する径方向に動く。したがって、駆動板と台板とで挟まれた空間であってバリア羽根が光軸との直交方向に動く面に沿って延在する空間に、引張コイルスプリングを収納すれば、レンズバリアユニットが大きくなってしまう。特に、３成分系の高倍率ズームレンズが用いられる小型カメラにおいては、前玉レンズが大きくなるために、バリア羽根を大きく開口させておく一方で、レンズバリアユニットを小型にする必要がある。大きく開口したレンズバリアユニットに大きな収納スペースを要する引張コイルスプリングを用いれば、レンズバリアユニットが大きくなってしまう。また、引張コイルスプリングを光軸方向に延在配置すれば、レンズバリアユニットが厚くなってしまう。いずれにしても、駆動板とバリア羽根との間の駆動力伝達手段として引張コイルスプリングを用いると、レンズバリアユニットが大きくなってしまう。
【０００６】
【発明が解決しようとする課題】
従って、本発明の解決すべき技術的課題は、駆動板とバリア羽根との間をリンクして駆動板の駆動力をバリア羽根に伝えるための駆動力伝達手段を改良して、小型且つ薄型であるにもかかわらず大きく開口することができるカメラ用レンズバリアユニットを提供することである。
【０００７】
【課題を解決するための手段・作用・効果】
上記技術的課題を解決するために、本発明は、カメラ用レンズバリアユニットにおいて、駆動板とバリア羽根との間の駆動力伝達手段として捩りコイルスプリングを用いることを特徴としている。
【０００８】
すなわち、本発明に係るカメラ用レンズバリアユニットは、レンズ鏡胴の前端部に装着され、開口部を有するリング状台板と、少なくとも前記開口部に相対する部分に開口部を有し、台板に対して回動自在の駆動板と、前記台板と前記駆動板との間にあって、前記台板の開口部を開閉すべく、台板に配置された第１取付部に回転自在に枢着されたバリア羽根とで構成され、駆動板が光軸回りに回転駆動されることによりバリア羽根が台板の開口部を開閉するようにしたカメラ用レンズバリアユニットであって、第１取付部とは別体の第２取付部が台板の所定位置に形成され、該第２取付部に捩りコイルスプリングのコイル部が光軸方向と平行な軸回りに回動自在に枢着され、該捩りコイルスプリングの第１アーム部が駆動板に連結される一方、その第２アーム部がバリア羽根に連結されることにより、駆動板の回転駆動力が各捩りコイルスプリングを介して各バリア羽根に伝達されるとともに、捩りコイルスプリングの捩り角度がほとんど変化しない領域がバリア羽根の開状態と閉状態との間に設けられていることを特徴とする。
【０００９】
捩りコイルスプリングが回動自在に枢着される第２取付部が、バリア羽根が回動自在に枢着される第１取付部とは別体に台板の所定位置に形成されている。捩りコイルスプリングは、通常の捩りコイルスプリングであって、光軸方向と平行な軸回りに第２取付部に回動自在に枢着されたコイル部と、コイル部から延在する第１アーム部及び第２アーム部とを備えている。第１アーム部は駆動板に連結され、第２アーム部はバリア羽根に連結されている。そして第１アーム部及び第２アーム部は所定の角度で開いている。駆動板に連結された第１アーム部にある回転力が加えられると、コイル部が回動して、その力は第２アーム部に伝達され、第２アーム部に連結されたバリア羽根に伝達される。このとき、各バリア羽根の負荷は小さいので、両アーム部間の捩り角度はほとんど変化しない。すなわち、捩りコイルスプリングの捩り角度がほとんど変化しない領域がバリア羽根の開状態と閉状態との間に設けられている。したがって、捩りコイルスプリングは、駆動板の回転駆動力を安定且つ確実に伝達できる駆動力伝達手段として機能している。捩りコイルスプリングにより構成される駆動力伝達手段は、簡単な機構であり、狭いスペースにも配置することができる。そして、捩りコイルスプリングの第１アーム部及び第２アーム部がコイル部を中心にして放射状に延在しており、第１アーム部に加えられる回転入力の方向と、第２アーム部から出力される回転出力の方向とがコイル回転軸に対し接線方向であるので、入出力時に働く力学的方向が理想的である。
【００１０】
また、バリア羽根同士が当接して閉状態になったときには、第２アーム部が動かないように固定された状態になっている。この状態で、第１アーム部にさらに力を加えると、コイル部の回動が阻止されて、第１アーム部が回動する。すなわち、第１アーム部が第２アーム部に対して捩れて、両アーム部間の捩り角度が変化する。この捩り角度の変化に応じて、コイル部からバネ力が発生し、このバネ力が第２アーム部に対して付勢される。したがって、捩りコイルスプリングは付勢手段として機能する。
【００１１】
このように、捩りコイルスプリングを用いたレンズバリアユニットは、捩りコイルスプリングが駆動力伝達手段及び付勢手段として機能するので、レンズバリアユニットの機構部品が簡素化される。それとともに、捩りコイルスプリングが光軸方向に回動自在に枢着されているので光軸と直交する径方向に延在するスペースが節約される。したがって、レンズバリアユニットを小型化しても大きく開口させることができる。
【００１２】
なお、台板は、種々の構成にすることができる。台板は、例えば、台板本体と押え板とからなる構成とすることができる。すなわち、台板本体と、バリア羽根と、押え板と、駆動板の順で重畳的に配設し、台板本体と押え板との間でバリア羽根を挟持し且つ枢着した構成とすることもできる。また、バリア羽根を回動自在に枢着して直進筒取付用ボスに対して係止する係止部を台板の直進筒取付用ボスに設けて、押え板の機能を台板に含ませることにより、押え板を省略した構成とすることもできる。
【００１３】
また、部品形状公差又は組立て公差等の種々の公差あるいは設計変更により、バリア羽根の移動ストロークを調整する必要がある。引張又は圧縮スプリングを用いた従来技術では、各成形部品のボス等の位置を変更することで対応していたので、成形部品の金型から変更する必要があるために、多大な時間及びコストを要していたが、捩りコイルスプリングでは、捩りコイルスプリングのアーム部の長さを変えるだけでよいので、ストローク修正を容易に行うことができる。
【００１４】
バリア羽根同士が当接して全閉状態になったあと、駆動板をさらに回動させると、バリア羽根にバネ力が付勢、すなわちオーバーチャージされて、バリア羽根同士の密着性を高めることができる。したがって、ホコリ等の侵入に対して非常に強い構成になっている。そして、コイル部のバネ力を最適化することにより、レンズバリアユニットが開状態から閉状態に移る際に異物又は指が挟まったとしてもそれらを容易に取り除くことができる。すなわち、捩りコイルスプリングは、安全機構にも兼用されている。
【００１５】
カメラ用レンズバリアユニットにおいては、具体的には、第１取付部及び第２取付部が光軸方向に延在するボスという態様で構成される。
【００１６】
それぞれの第１取付部及び第２取付部においては、第１取付部の近くに第２取付部が配置されている。第２取付部に枢着された捩りコイルスプリングは、第１取付部に枢着されたバリア羽根の動作方向であり且つバリア羽根に隣接する空間であって、バリア羽根の開閉動作軌跡と干渉しない場所に配置されている。捩りコイルスプリングは、台板と駆動板との隙間であって、バリア羽根の配置されたのと同じ面内、すなわち平面的に配置されており、レンズバリアユニットが厚さ方向すなわち光軸方向に厚くならない構成となっている。したがって、レンズバリアユニット及びカメラを薄型化することができる。
【００１７】
前記バリア羽根、前記第１取付部及び前記第２取付部がそれぞれ２つずつあって、それらが協働して前記開口部を開閉する。駆動板が光軸回りに回転駆動されるときに、各バリア羽根が各第１取付部を回転中心にして協働して回転して、台板の開口部を開閉する。したがって、台板開口部の開閉機構を簡略化することができる。
【００１８】
【発明の実施の形態】
以下に、本発明の一実施形態に係るレンズバリアユニットについて図１〜図７に従って詳細に説明する。
【００１９】
図１は、本発明のレンズバリアユニット４０がレンズ鏡胴１０の前面に装着された状態を示している。レンズ鏡胴１０は、その前面においてレンズバリアユニット４０が装着される直進筒３０と、直進筒３０の外側にあって直進筒３０に対して回動可能に嵌合するとともに先端に第１係合片２２（図２を参照）を備えたカム環２０と、直進筒３０に内蔵されて被写体から入射した光１６をフィルム面に結像させるレンズ群１２とを備えている。
【００２０】
レンズバリアユニット４０は、被写体側（以下、前面側と呼ぶ）から、台板５０、一対のバリア羽根４０ａ、押え板８０及び駆動板９０の順序で重畳的に配設された構造をしている。レンズバリアユニット４０は、直進筒３０の前面に設けられたネジ穴に対して固定ネジ９９ａで螺合されている。
【００２１】
図２は、全開状態にあるレンズバリアユニット４０をカメラのレンズ側（以下、後面側と呼ぶ）から見た図である。図２において、駆動板９０が実線として表わされている。そして、台板５０、外羽根６０、内羽根７０及び押え板８０において、駆動板９０により隠れている部分が、点線で表わされている。
【００２２】
台板５０は、大略リング形状であって、コーナー部が丸みを持った略矩形の開口部１８を備える。リング状部分の後面側には、光軸を点対象として配置された一対の第１取付部すなわち直進筒取付用ボス５１が突設されている。これらの直進筒取付用ボス５１は筒状であって、その中に貫通したボス穴９９ａが形成されている。また、リング状部分には、直進筒取付用ボス５１に隣接して、光軸を点対象として配置された一対の第２取付部すなわち捩りコイルスプリング用ボス５２が後面側に突設されている。捩りコイルスプリング用ボス５２には、後述する捩りコイルスプリング１００が装着される。また、リング状部分には４つの第１係止部が設けられている。
【００２３】
開口部１８を閉じるための一対のバリア羽根４０ａは、第１バリア羽根４１と第２バリア羽根４２とから構成される。第１バリア羽根４１及び第２バリア羽根４２は、それぞれ、光軸１４を点対称中心とするように配置されている。第１バリア羽根４１及び第２バリア羽根４２は、それぞれ、外羽根６０と内羽根７０とから構成されている。すなわち、バリア羽根４０ａは、２枚の外羽根６０及び２枚の内羽根７０の合計４枚の羽根で構成されている。２枚の外羽根６０同士は同一形状であるとともに、２枚の内羽根７０同士も同一形状である。各外羽根６０は、同一平面上にあり且つ光軸１４が点対称中心になるように配置されている。同様に、各内羽根７０も同一平面上にあり且つ光軸１４が点対称中心になるように配置されている。外羽根６０は、内羽根７０に対して光軸前面側方向にずれて配置されている。外羽根６０及び内羽根７０は、開状態では開口部１８の周辺にあるリング状部分において重なり合って収納されるように、形状及び寸法構成されている。
【００２４】
外羽根６０は、略「く」の字状の平板である羽根本体６４と、羽根本体６４の基端に設けられて直進筒取付用ボス５１に枢着されて直進筒取付用ボス５１を中心に回動するための嵌合穴を有する軸部６７とを備えている。羽根本体６４の基端近くであって光軸側の後面側表面上には、軸方向に突起した切欠係合片６２が形成されている。軸方向に突起した当接作用片６９が、羽根本体６４の遠心側の後面側表面上に形成されている。
【００２５】
内羽根７０は、外羽根６０と同様に、略「く」の字状の平板である羽根本体７４と、羽根本体７４の基端に設けられて直進筒取付用ボス５１に枢着されて直進筒取付用ボス５１を中心に回動するための嵌合穴を有する軸部７７とを備えるとともに、羽根本体７４の反対側に軸部７７から延在するスプリング係合部７９とを備えている。
【００２６】
内羽根７０の羽根本体７４の基端近くであって光軸側の側面において、切欠７２が外羽根６０の切欠係合片６２と係合する位置に形成されている。内羽根７０が閉状態になる過程において、切欠７２が外羽根６０の切欠係合片６２と係合して、外羽根６０が光軸方向に引っ張り出される。
【００２７】
羽根本体７４の遠心側の側面には、当接辺７３が形成されている。内羽根７０が開状態に戻るときに当接辺７３が当接作用片６９に当接して遠心方向に押動される。
【００２８】
羽根本体７４の光軸側の側面には、エッジが段差状に加工された当接閉口辺７５が形成されている。レンズバリアユニット４０の閉状態において、一方の内羽根７０の当接閉口辺７５が他方の内羽根７０の当接閉口辺７５と当接して、レンズバリアユニット４０が閉状態になることにより、外部からのほこりの侵入が防止される。
【００２９】
スプリング係合部７９は、略長手方向に延在するスリット状のガイド穴７９を備えている。このガイド穴７９は、後述する捩りコイルスプリング１００の第２突出片１０３ｂと係合する。
【００３０】
押え板８０は、大略リング形状の薄板であって、コーナー部が丸みを持った略矩形の開口部１８を備える。この開口部１８は台板５０の開口部１８と同じ形状であり、両者の開口部が重なり合うように構成されている。リング状部分には台板５０の一対の直進筒取付用ボス５１を受け入れる一対のボス用貫通穴８６が形成されている。直進筒取付用ボス５１は、ボス用貫通穴８６に挿通されて駆動板９０の方に少し突出するように装着される。
【００３１】
また、押え板８０のリング状部分には、ボス用貫通穴８６に隣接して、光軸１４を点対称中心として配置された２つの捩りコイルスプリング用ボス穴８８が形成されている。捩りコイルスプリング用ボス５２が捩りコイルスプリング用ボス穴８８に挿通されるが、捩りコイルスプリング用ボス５２の先端が押え板８０の表面から突出しないように寸法構成されている。
【００３２】
捩りコイルスプリング用ボス穴８８に隣接する各位置に、捩りコイルスプリング用ボス穴８８を中心とした円弧状スリットの突出片遊動穴８２がそれぞれ形成されている。捩りコイルスプリング１００の第１突出片１０３ａは、突出片遊動穴８２を通して後面側に少し突出するように装着される。なお、突出片遊動穴８２のスロット幅は、捩りコイルスプリング１００のアーム部１０２ａ，１０２ｂの長さ変化に対応できるように、捩りコイルスプリング１００の第１突出片１０３ａの幅より幅広に構成されている。また、突出片遊動穴８２の円周方向の長さは、バネ力がオーバーチャージされるように、レンズバリアユニット４０の開閉時において捩りコイルスプリング１００の第１突出片１０３ａが最低限の移動を行うのに必要な長さより長目に設計されている。押え板８０の側面には、台板５０の第１係止部に対して嵌合する第２係止部が設けられている。これらの第１係止部及び第２係止部がそれそれ嵌合して、係止部１１０が形成される。このとき、台板５０と押え板８０との間で外羽根６０及び内羽根７０が自在に動くことができるように、台板５０と押え板８０との間隔が寸法構成されている。また、スプリング係止片１２０が押え板８０の表面上に突設されている。
【００３３】
なお、押え板８０を省略した構成にすることもできる。すなわち、台板５０の直進筒取付用ボス５１において、バリア羽根４０ａを回動自在に枢着して直進筒取付用ボス５１に対して係止する係止部を設けることにより、押え板８０の機能を台板５０に含ませることができる。
【００３４】
駆動板９０は、大略リング形状をしており、一対のボス用ガイド穴９３及びスプリング係止ガイド穴９６とを備えている。各ボス用ガイド穴９３は、光軸１４を中心にして円弧状に延在しており、直進筒取付用ボス５１がボス用ガイド穴９３に挿通されている。ボス用ガイド穴９３の円周方向の長さに応じて、駆動板９０が直進筒取付用ボス５１に対して回動量が規制される。
【００３５】
径方向に延在するスリット９２が、それぞれ、ボス用ガイド穴９３の近傍であって捩りコイルスプリング１００の第１突出片１０３ａに対応する位置に設けられている。押え板８０から突出した第１突出片１０３ａはスリット９２と係止する。スプリング係止ガイド穴９６は、光軸１４を中心にして円弧状に延在しており、円周方向の一端にスプリング掛け片９５を有している。スプリング係止ガイド穴９６中には、一端がスプリング掛け片９５に係止されるとともに他端がスプリング係止片１２０に係止されたスプリング１２１が保持されており、圧縮方向のバネ力が付勢されている。リング状部分の外周縁には、光軸１４を中心にして円弧状に延在する第２係合片９１が設けられており、この第２係合片９１がカム環２０の第１係合片２２で押動されることにより、駆動板９０が回動する。
【００３６】
捩りコイルスプリング１００は、金属又は樹脂等の弾性体からなり、バネ力を発生させるコイル部１０１と、コイル部１０１の駆動板側の一端及び台板側の他端からそれぞれ横方向に延在する第１アーム部１０２ａ及び第２アーム部１０２ｂと、各アーム部１０２ａ，１０２ｂからそれぞれ軸方向且つ後面方向に延在する第１突出片１０３ａ，第２突出片１０３ｂとから構成されている。捩りコイルスプリング１００の少なくともコイル部１０１はバリア羽根４０ａの厚みより小さく、捩りコイルスプリング１００が台板５０と押え板８０との隙間に収まっている。
【００３７】
捩りコイルスプリング１００周辺の構成がよく分かるように図示したものが図７である。図７は、図２のレンズバリアユニット４０において、線７−７での断面を矢印の方から見た断面図である。なお、図７において、バリア羽根４０ａの詳細は省略されている。コイル部１０１は、台板５０の捩りコイルスプリング用ボス５２に枢着されている。すなわち、コイル部１０１は、バリア羽根４０ａが回動できるように台板５０と押え板８０との間で形成されて光軸１４に対して径方向に延在する空間であって、バリア羽根４０ａの開閉動作軌跡と干渉しない場所に設けられた捩りコイルスプリング用ボス５２に枢着されている。第１アーム部１０２ａは第２アーム部１０２ｂに対して所定の角度で捩られている。そして、第１突出片１０３ａは、押え板８０の突出片用遊動穴８２を介して駆動板９０のスリット９２に係合されている。それとともに、第２突出片１０３ｂは内羽根７０のスプリング係合部７９に係合されている。したがって、駆動板９０が回転駆動されると、第１アーム部１０２ａに対してある方向の回転力が加えられる。この回転駆動力は、コイル部１０１を回動させるとともに第２アーム部１０２ｂに伝達されて、第２アーム部１０２ｂを同じ方向に回動させる。このとき、第１アーム部１０２ａ及び第２アーム部１０２ｂ間の捩り角度はほとんど変化しない。
【００３８】
バリア羽根４０ａが枢着された直進筒取付用ボス５１と、捩りコイルスプリング１００が枢着された捩りコイルバネ用ボス５２とが隣接配置されているので、捩りコイルスプリング１００は、バリア羽根４０ａに対して同一平面すなわち平面的に隣接配置されており、捩りコイルスプリング１００の動作領域が小さくなり、省スペース化を図ることができる。
【００３９】
また、第１アーム部１０２ａ及び第２アーム部１０２ｂの長さを変化させることにより、種々の公差を吸収して、所定の動作を行うように調整することができる。また、捩りコイルスプリング１００を回動させる際のモーメント調整も容易に行うことができる。
【００４０】
次に、このようにして構成されたレンズバリアユニット４０の開閉動作を、図２〜図６に従って説明する。
【００４１】
カメラの非使用ではレンズ鏡胴１０は沈胴位置にあるが、カメラを使用するために、カメラ本体に設けられたメインスイッチ（不図示）をＯＮにすると、レンズ鏡胴１０が突出して、図２に示すようにレンズバリアユニット４０が全開状態になる。すなわち、図２に示すように、全開状態のレンズバリアユニット４０では、全ての外羽根６０及び内羽根７０が開口部１８の周辺にあるリング状部分に完全に収納されている。台板５０に係止された押え板８０と駆動板９０との間に設けられたスプリング１２１により時計方向のバネ付勢力が駆動板に作用しているので、外羽根６０及び内羽根７０の全開状態が保持されている。また、カム環２０の第１係合片２２は駆動板９０の第２係合片９１に当接していない。
【００４２】
この状態から、カメラを使用しない沈胴状態に移行させるために、カム環２０を反時計方向に回動させる。カム環２０が反時計方向に回動すると、カム環２０の第１係合片２２が駆動板９０の第２係合片９１に当接して、図３に示す閉状態の開始位置となる。
【００４３】
カム環２０がさらに反時計方向に回動すると、図４に示すように、カム環２０の第１係合片２２が駆動板９０の第２係合片９１を押動するため、スプリング１２１の付勢力に抗して、駆動板９０が光軸１４を中心にして反時計方向に回動する。この回動に伴って、駆動板９０のスリット９２と係合している一対の捩りコイルスプリング１００の第１突出片１０３ａから横方向に延在する第１アーム部１０２ａに対して、捩りコイルスプリング用ボス５２を中心に時計方向に回転させようとする回転駆動力が働く。この力はコイル部１０１を回動させながら第２アーム部１０２ｂに伝達される。このとき、第１アーム部１０２ａ及び第２アーム部１０２ｂ間の捩り角度はほとんど変化しない。第２アーム部１０２ｂから軸方向に延在する第２突出片１０３ｂは、内羽根７０のスプリング係合部７８の突出片用ガイド穴７９と係合しているので、スプリング係合部７８が軸部７７すなわち直進筒取付用ボス５１を中心に反時計方向に回動する。それとともに、各内羽根７０の羽根本体７４が、軸部７７すなわち直進筒取付用ボス５１を中心に反時計方向に回動する。したがって、各内羽根７０が協働して開口部１８を閉じる。このように、捩りコイルスプリング１００は、駆動板９０の回転駆動力を安定かつ確実に内羽根７０に伝達する駆動力伝達手段として機能している。そして、内羽根７０に設けられた切欠７２が外羽根６０の切欠係合片６２と係合して、切欠係合片６２が切欠７２で押動される。その結果、外羽根６０も軸部６７すなわち直進筒取付用ボス５１を中心に反時計方向に回動する。したがって、各外羽根６０及び内羽根７０は協働して、開口部１８を閉じる。
【００４４】
カム環２０がさらに反時計方向に回動すると、駆動板９０、捩りコイルスプリング１００及びバリア羽根４０ａは、図４で説明したのと同様の動作を行う。そして、図５に示すように、各内羽根７０の当接閉口辺７５同士が当接すると、内羽根７０の回動が停止して、レンズバリアユニット４０が全閉状態となる。
【００４５】
全閉状態からさらにカム環２０が回動することができる。カム環２０が反時計方向にさらに回動すると、駆動板９０が反時計方向に回動する。そして、駆動板９０に係合している第１アーム部１０２ａがさらに捩りコイルスプリング用ボス５２を中心に時計方向に回転するが、内羽根７０同士が当接してロックされているために第２アーム部１０２ｂは回動することができない。その結果、第１アーム部１０２ａだけが回動して、第１アーム部１０２ａ及び第２アーム部１０２ｂ間の捩り角度が小さくなる。この結果、コイル部１０１が弾性体として働き、捩りコイルスプリング１００がオーバーチャージされる。したがって、捩りコイルスプリング１００の付勢力により、内羽根７０同士が強く圧接された閉状態が保持される。したがって、ホコリ等の侵入に対して非常に強い構成になる。そして、コイル部１０１のバネ力を最適化することにより、レンズバリアユニット４０が開状態から閉状態に移る際に異物又は指が挟まったとしてもそれらを容易に取り除くことができる。すなわち、捩りコイルスプリング１００は、安全機構にも兼用されている。このとき、レンズ鏡胴１０は沈胴位置にある。
【００４６】
沈胴位置からレンズ鏡胴１０を突出させるときには、カム環２０を上記と反対方向すなわち時計方向に回動させる。レンズバリアユニット４０は、上述した沈胴状態にする際の動作と大略反対の動作を行うが、各外羽根６０及び内羽根７０における動作が異なっている。すなわち、内羽根７０が軸部７７すなわち直進筒取付用ボス５１を中心に時計方向に回動すると、まず、内羽根７０の切欠７２と外羽根６０の切欠係合片６２との係合が解除される。内羽根７０がさらに時計方向に回動すると、内羽根７０の当接辺７３が、外羽根６０の当接作用片６９に当接する。内羽根７０がさらに回動すると、外羽根６０が内羽根７０と協働して軸部６７すなわち直進筒取付用ボス５１を中心に時計方向に回動する。そして、外羽根６０及び内羽根７０が、開口部周辺のリング状部分に完全に収納されて、開口部１８が全開した全開状態になる。そして、カム環２０が時計方向にさらに回動すると、カム環２０の第１係合片２２と駆動板９０の第２係合片９１との係合が解除されるが、前述のようにスプリング１２１のバネ力が付勢されることにより、常に開いた状態のレンズバリアユニット４０が保持される。
【図面の簡単な説明】
【図１】  本発明の実施例に係るレンズバリアユニットをレンズ鏡胴に装着した状態を示す断面図である。
【図２】  上記レンズバリアユニットの全開状態を示す図である。
【図３】  上記レンズバリアユニットの閉動作開始状態を示す図である。
【図４】  上記レンズバリアユニットの閉動作途中状態を示す図である。
【図５】  上記レンズバリアユニットの全閉状態を示す図である。
【図６】  上記レンズバリアユニットの全閉オーバーチャージ状態を示す図である。
【図７】  図２のレンズバリアユニットにおいて、線７−７での断面を矢印の方から見た断面図である。
【符号の説明】
１０      レンズ鏡胴
１２      レンズ群
１４      光軸
１８      開口部
２０      カム環
２２      第１係合片
３０      直進筒
４０      レンズバリアユニット
４０ａ    バリア羽根
４１      第１バリア羽根
４２      第２バリア羽根
５０      台板
５１      直進筒取付用ボス（第１取付部）
５２      捩りコイルバネ用ボス（第２取付部）
６０      外羽根
６２      切欠係合片
６４      羽根本体
６７      軸部
６９      当接作用片
７０      内羽根
７２      切欠
７３      当接辺
７４      羽根本体
７５      当接閉口辺
７７      軸部
７８      スプリング係合部
７９      突出片用ガイド穴
８０      押え板
８２      突出片用遊動穴
８６      ボス用貫通穴
８８      捩りコイルスプリング用ボス穴
９０      駆動板
９１      第２係合片
９２      スリット
９３      ボス用ガイド穴
９４      リング状部分
９５      スプリング掛け片
９６      スプリング係止ガイド穴
９９ａ    ボス穴
９９ｂ    固定ネジ
１００    捩りコイルスプリング
１０１    コイル部
１０２ａ  第１アーム部
１０２ｂ  第２アーム部
１０３ａ  第１突出片
１０３ｂ  第２突出片
１１０    係止部
１２０    スプリング係止片
１２１    スプリング
【図１】
0004411717.tif 000002
【図２】
0004411717.tif 000003
【図３】
0004411717.tif 000004
【図４】
0004411717.tif 000005
【図５】
0004411717.tif 000006
【図６】
0004411717.tif 000007
【図７】
0004411717.tif 000008